(57)【要約】      （修正有）【課題】液位観測の基準位置を任意の位置に簡単に変更可能な液面計を提供する。【解決手段】磁力により回転する複数のロータが液位の観測対象の容器に連通する縦管５０に沿って回転可能にケース２内に支持され、縦管内のマグネットを備えるフロートの上下動によりロータが回転して容器の液位を示す液面計１であって、複数のロータによって液位が表示されるケースの前面部に隣接するケースの側面部に上下方向に沿って形成される固定溝と、固定溝に対して締結される締結部材によってケースの上下方向の任意の位置に固定され、液位の基準を示す文字が液位の表示方向に対して表示される基準表示板８，１０，１２と、固定溝に対して締結される締結部材によってケースの上下方向の任意の位置に固定され、基準表示板によって示される基準の液位の位置を指示する矢印表示板６１，６２，６３と、を備えることを特徴とする。【選択図】図１
0003187395.tif 000002
【実用新案登録請求の範囲】
【請求項１】
磁力により回転する複数のロータが液位の観測対象の容器に連通する縦管に沿って回転可能にケース内に支持され、前記縦管内のマグネットを備えるフロートの上下動により前記ロータが回転して前記容器の液位を示す液面計であって、
複数の前記ロータによって液位が表示される前記ケースの前面部に隣接する前記ケースの側面部に上下方向に沿って形成される固定溝と、
前記固定溝に対して締結される締結部材によって前記ケースの上下方向の任意の位置に固定され、液位の基準を示す文字が液位の表示方向に対して表示される基準表示板と、
前記固定溝に対して締結される締結部材によって前記ケースの上下方向の任意の位置に固定され、前記基準表示板によって示される基準の液位の位置を指示する矢印表示板と、
を備えることを特徴とする液面計。
【請求項２】
前記ケースは、前記前面部と、前面部に隣接する前記側面部とが略直角に交わる略直方体状のケースであり、
前記基準表示板は、前記ケースの前記側面部側において前記締結部材により固定される固定部と、前記液位の基準を示す文字が表示される表示面部と、を有し、
前記矢印表示板は、前記ケースの側面部側に配置され前記締結部材で固定される固定部と、前記ケースの前面部上において、前記基準表示板によって示される基準の液位の位置に対応する前記ロータを指示する矢印が形成される矢印部と、を有することを特徴とする請求項１に記載の液面計。
【請求項３】
前記基準表示板の前記固定部と、前記表示面部と、の角度が略直角であり、
前記矢印表示板の前記固定部と、前記矢印部と、の角度が略直角であることを特徴とする請求項２に記載の液面計。
【請求項４】
前記基準表示板は、前記ケースの前記前面部の前記ロータが表示される部分の両脇のいずれか一方側に、前記固定部を前記ケースの側面部上に配置し、前記表示面部を前記前面部上に配置して固定され、
前記矢印表示板は、前記ケースの両脇のいずれか他方側に、前記固定部を前記ケースの側面部上に配置し、前記矢印部を前記前面部上に配置して固定されることを特徴とする請求項３に記載の液面計。
【請求項５】
前記矢印表示板は、前記ケースの前記前面部の前記ロータが表示される部分の脇に、前記矢印部が前記前面部上に配置され、前記固定部が前記側面部上に配置され、前記基準表示板は、その固定部が前記矢印表示板の固定部に重ねて配置され、前記矢印表示板の前記矢印部と、前記基準表示板の前記表示面部とが連結された状態で前記締結部材により固定されることを特徴とする請求項３に記載の液面計。
【請求項６】
前記締結部材は、前記固定溝内をスライド可能なナットに対して螺合させて締め付けることで、前記基準表示板と前記矢印表示板の少なくともいずれかを前記ケースの上下方向の任意の位置に固定することを特徴とする請求項１から５のいずれか１つに記載の液面計。
【考案の詳細な説明】
【技術分野】
【０００１】
本考案は、タンク等の液位を観測する液面計に関する。
【背景技術】
【０００２】
従来、ボイラーやプラントのタンクには液位を観測するための液面計が設けられている。液面計としては、タンクに接続される縦管内の液柱をガラス窓を介して透視して液位を観測する透過光式液面計や、縦管内に浮かぶマグネットを内蔵したフロートの通過に伴って縦管に沿って多数並んだロータが回転して液位を表示するマグネット式液面計等がある。マグネット式液面計では、ロータの表面が例えば赤と白に色分けされており、液位の上昇に伴いフロートが上昇するとその位置にあるロータが回転して白から赤に表示が変わり、その逆に液位が下がってフロートが下降するとロータが回転して赤から白に表示が変わることで、液位の変化を間接的に表示することができる。
【０００３】
そして、透過光式液面計のガラス窓の横やマグネット式液面計のロータによる表示の横に液位観測の基準となる目盛板を配置し、目盛板の目盛と液面の位置とを見比べて観測する。目盛板は、たとえば、目盛がしるされているものや、液位の下限・上限等の位置が示されているものなどがある。
【考案の概要】
【考案が解決しようとする課題】
【０００４】
液位の観測の際に基準とする上述の目盛板は、液面計を設置する時点における、測定対象の液体の種類や温度などの条件に応じて、上限液位・下限液位あるいは許容される液位の範囲等が決められ、目盛板に表示される。しかし、測定対象の条件が変わって液位の基準も変わる場合には、目盛板を取り替える必要がある。
【０００５】
本考案はこのような液面計の課題を解決するものであり、液位の基準位置の表示を任意の位置に簡単に設置でき、変更も可能な液面計を提供することを目的とする。
【課題を解決するための手段】
【０００６】
本考案は上記課題を解決するためになされたものであり、その考案の要旨とするところは以下のとおりである。
【０００７】
（１）  磁力により回転する複数のロータが液位の観測対象の容器に連通する縦管に沿って回転可能にケース内に支持され、前記縦管内のマグネットを備えるフロートの上下動により前記ロータが回転して前記容器の液位を示す液面計であって、複数の前記ロータによって液位が表示される前記ケースの前面部に隣接する前記ケースの側面部に上下方向に沿って形成される固定溝と、前記固定溝に対して締結される締結部材によって前記ケースの上下方向の任意の位置に固定され、液位の基準を示す文字が液位の表示方向に対して表示される基準表示板と、前記固定溝に対して締結される締結部材によって前記ケースの上下方向の任意の位置に固定され、前記基準表示板によって示される基準の液位の位置を指示する矢印表示板と、を備えることを特徴とする液面計。
【０００８】
（２）上記（１）の構成において、前記ケースは、前記前面部と、前面部に隣接する前記側面部とが略直角に交わる略直方体状のケースであり、前記基準表示板は、前記ケースの前記側面部側において前記締結部材により固定される固定部と、前記液位の基準を示す文字が表示される表示面部と、を有し、前記矢印表示板は、前記ケースの側面部側に配置され前記締結部材で固定される固定部と、前記ケースの前面部上において、前記基準表示板によって示される基準の液位の位置に対応する前記ロータを指示する矢印が形成される矢印部と、を有することを特徴とする。
【０００９】
（３）上記（２）の構成において、前記基準表示板の前記固定部と、前記表示面部と、の角度が略直角であり、前記矢印表示板の前記固定部と、前記矢印部と、の角度が略直角であることを特徴とする。
【００１０】
（４）上記（３）の構成において、前記基準表示板は、前記ケースの前記前面部の前記ロータが表示される部分の両脇のいずれか一方側に、前記固定部を前記ケースの側面部上に配置し、前記表示面部を前記前面部上に配置して固定され、前記矢印表示板は、前記ケースの両脇のいずれか他方側に、前記固定部を前記ケースの側面部上に配置し、前記矢印部を前記前面部上に配置して固定されることを特徴とする。
【００１１】
（５）上記（３）の構成において、前記矢印表示板は、前記ケースの前記前面部の前記ロータが表示される部分の脇に、前記矢印部が前記前面部上に配置され、前記固定部が前記側面部上に配置され、前記基準表示板は、その固定部が前記矢印表示板の固定部に重ねて配置され、前記矢印表示板の前記矢印部と、前記基準表示板の前記表示面部とが連結された状態で前記締結部材により固定されることを特徴とする。
【００１２】
（６）上記１から５のいずれかの構成において、前記締結部材は、前記固定溝内をスライド可能なナットに対して螺合させて締め付けることで、前記基準表示板と前記矢印表示板の少なくともいずれかを前記ケースの上下方向の任意の位置に固定することを特徴とする。
【考案の効果】
【００１３】
本考案によれば、液位観測の基準位置を任意の位置に簡単に変更可能な液面計を提供することができる。
【図面の簡単な説明】
【００１４】
【図１】実施形態の液面計の外観図である。
【図２】実施形態の液面計の分解斜視図である。
【図３】実施形態の液面計の横断面図である。
【図４】実施形態の各表示板と矢印表示板の外観図である。
【図５】実施形態の変形例の液面計の外観図である。
【図６】実施形態の変形例の液面計の横断面図である。
【考案を実施するための形態】
【００１５】
以下、本考案の実施形態について、図面を参照しつつ説明する。
【００１６】
（第１の実施形態）
図１は本実施形態の液面計１の外観を示す外観図である。図２は、図１に示す液面計１の分解斜視図である。図３は、図１の矢印Ａ位置での液面計１の横断面図である。図４は、液位の基準を示すための各表示板と対応する矢印表示板の外観を示す外観図であり、（ａ）が各表示板（８、１０、１２）を示し、（ｂ）が矢印表示板６を示す。なお、図２は、液面計の上下方向の長さを短縮して示している。実際には、上下に並ぶロータの数がより多く、長さもより長い。
【００１７】
液面計１は、いわゆるマグネット式液面計である。マグネット式液面計は、測定対象のタンク等の容器に連通する縦管部と、縦管部に固定され液位をロータで表示する表示器部と、で構成される。マグネット式液面計は、マグネットを内蔵するフロートが縦管内に浮かべられておりこのフロートの上昇・下降に合わせて、磁性を有するロータが回転し、表示される色が変わって液位を示す。ロータは２色、例えば赤色と白色に塗り分けられており、フロートが上昇すると、ロータが回転して白色から赤色に切り替わり、フロートが下降すると赤色から白色に切り替わることで、液面の位置を間接的に表示することができる。以下、本実施形態の液面計１の構成について説明するが、特徴部分の表示器部について主に説明する。
【００１８】
本実施形態の液面計１は、ケース２と、ロータ４と、矢印表示板６（６１、６２、６３）と、上限表示板８と、標準水位表示板１０と、下限表示板１２と、ねじ１４と、ナット１６と、固定バンド３１〜３４等を備える。これらロータ４等が収容されるケース２は、固定バンド３１〜３４によって、タンク等に連通する縦管５０に固定される。
【００１９】
ケース２は、内部に複数のロータ４を回転可能に保持する。ケース２には、複数のロータ４が液面の移動方向（液面計１の長手方向）に並んで配置される。ケース２の両側面には、固定溝２１と固定溝２２が形成されている。固定溝２１は、ケース２の両側面において、ケース２のロータ４によって液位が表示される正面寄りの位置（前方側の位置）に液面計１の長手方向に沿って形成される。固定溝２２は、ケース２の両側面の縦管５０寄りの位置（後方側の位置）に液面計１の長手方向に沿って形成される。
【００２０】
固定溝２１は、液位の基準を示す後述の各表示板（８、１０、１２）や、各表示板に対応する矢印表示板６を固定するための溝である。固定溝２２は、液面計１を縦管５０に固定するための固定バンド３１〜３４の一端をかみ合わせるための溝である。固定溝２１の内部には、溝内を上下にスライド可能にナット１６が通されている。ナット１６を任意の位置に移動させて、各表示板（８、１０、１２）や矢印表示板６にねじを通してそのナットに対してねじを締め付けることで、各表示板（８、１０、１２）や矢印表示板６をケース２の長手方向の任意の位置に固定することができる。
【００２１】
固定溝２１と固定溝２２の形状や構造は特に限定されないが、本実施形態の固定溝２１はナットなどの締結部材が上下にスライドでき、ねじ１４が通る幅で開口しており、且つ、ナット１６の外側の座面が当接する縁部２３を有する。ねじ１４をナット１６に螺合させてしめると、ナット１６の座面が縁部２３に圧接して、ねじとナットの間の表示板や矢印表示板が挟持されて固定できる。
【００２２】
固定溝２２の形状は、固定溝２１と同様の形状である。固定溝２２の場合には、固定バンド３１〜３４のフック状の先端部が縁部２３にかみ合ってケース２を保持することができる。なお、固定溝２２は、本実施形態の形状に限定されず、固定バンド３１〜３４を固定できればどのような形状でもよい。さらに、固定バンド３１〜３４の固定位置を移動させる必要がなければ、予めケース２の所定の位置に固定バンド３１〜３４が取り付けられていても良く、この場合は固定溝２２は無くてもよい。
【００２３】
固定バンド３１〜３４は液面計１のケース２を縦管５０に対して固定する。本実施形態では、固定バンド３１、３２のペアでケース２の上方が縦管５０に固定され、固定バンド３３、３４のペアでケース２の下方が縦管５０に固定される。固定バンド３１〜３４は、一方の先端がケース２の固定溝２２に固定され、他方が縦管５０の裏側で対の固定バンドとねじで固定される。固定バンド３１〜３４の先端部はフック状になっており、固定溝２２の縁部２３に引っかけられてケース２を保持する。フック状の先端部から縦管５０の裏側にかけては縦管５０の外周面に沿ってカーブしており、ペアの固定バンド同士がねじで締結されることで、縦管５０に対してケース２がしっかりと固定される。なお、本実施形態では縦管５０が円筒状である場合について説明しているが、例えば縦管が角を有する角柱状の形状であれば、それに合わせてケース２を固定できるバンドの形状とすればよい。
【００２４】
ロータ４は、縦管５０内のフロートの上下に伴って回転して、液位を表示する。ロータ４は円筒状であり、外周面の色は周方向の半分が第１の色、もう半分が第２の色で色分けされている。ロータの色はたとえば、液柱側を表示する第１の色として赤色、気体側を表示する第２の色として白色とで色分けられていれば良い。ロータ４は、図２に示すように、ケース２内のロータ４を固定するための枠に、ロータ４の両端の軸が回転可能に軸支されて保持される。ロータ４はたとえば図２に示すようにパーツ４１ａとパーツ４２ｂの２つの部品に分かれ、その内部に磁性を有する磁性体４２が保持されている。たとえば、パーツ４１ａの外表面が赤色、パーツ４２ｂの外表面が白色とすればよい。磁性体４２は磁石でよい。
【００２５】
上限表示板８と、標準水位表示板１０と、下限表示板１２の各表示板と、矢印表示板６（６１、６２、６３）は、上述したケース２の側面の任意の位置にねじ１４とナット１６によって固定される部材である。矢印表示板６と、それぞれ対応する液位が文字で表示されている各表示板とを組み合わせて、ロータ４によって液位が表示される表示窓の脇に様々な液位の基準を示すことができる。本実施形態では一例として上述の３つの表示板と、対応する３つの矢印表示板６を備える。上限表示板８は許容される液位の上限を示し、標準水位表示板１０は標準水（液）位を表示し、下限表示板１２は許容される液位の下限を示す。そして、それぞれの表示板が固定される位置と同じ高さの位置であって、ロータ４が表示されるガラス２４を挟んで対向する位置に、矢印表示板６が対応する表示板の方向を指すように側面の溝部２１にねじ１４とナット１６によって固定されている。
【００２６】
上限表示板８には、Ｈｉｇｈの頭文字のＨが印字され、標準水位表示板１０には、標準水位を示すＮｏｒｍａｌ  Ｗａｔｅｒ  Ｌｅｖｅｌの頭文字ＮＷＬが印字され、下限表示板１２にはＬｏｗの頭文字のＬが印字されている。なお、表示する文字は、表示したい内容に応じて適宜選択されれば良い。
【００２７】
矢印表示板６１、６２、６３と、上限表示板８と、標準水位表示板１０と、下限表示板１２は、図４に示すように、いずれもＬ字型に折れ曲がった形状である。矢印表示板６１〜６３の場合は、矢印の先端部が形成されている矢印部と、矢印部から折れ曲がって、ねじ１４を通す穴が形成されている固定部とで構成されている。上限表示板８と、標準水位表示板１０と、下限表示板１２は、それぞれ対応する文字が印字されている表示面部と、表示面部から折れ曲がって、ねじ１４を通す穴が形成されている固定部とで構成されている。矢印表示板６と各表示板８、１０、１２は、ケース２の前面と側面の角部に合わせた角度で折れ曲がっていれば良い。本実施形態では、ケースの前面と側面との角度は略９０度であるので、矢印表示板６と各表示板も略９０度で折れ曲がった形状である。なお、図３では、標準水位表示板１０は表示面部の部分が上限表示板８や下限表示板１２よりも長いので、長い部分を破線で示している。また、図４（ａ）では一例として上限表示板８に対応する「Ｈ」を印字したものを示している。また、破線で示した部分は、上限表示板８よりも幅が長い標準水位表示板１０である。
【００２８】
矢印表示板６１〜６３と、上限表示板８と、標準水位表示板１０と、下限表示板１２と、は、互いに異なる色で着色されてもよい。たとえば、標準水位表示板１０とこれに対応する矢印表示板６２は問題がない液位であることを示すために緑色で着色され、上限表示板８と下限表示板１２とそれぞれ対応する矢印表示板６１、６３とは、注意を喚起するために赤色で着色されてもよい。
【００２９】
上限表示板８と、標準水位表示板１０と、下限表示板１２のそれぞれの文字の印字面の図１における上下方向、左右方向の幅は特に限定されない。左右方向の幅は、対向する矢印表示板６に当たらない程度の長さであれば、印字内容等に応じてどのような長さで形成されてもよい。ロータ４を確認するためのガラス２４による表示窓部分を完全に覆わず、ロータ４の回転を視認可能な隙間が確保できる程度の長さが好ましい。矢印表示板６の矢印面の上下方向、左右方向の幅も特に限定されない。
【００３０】
以上の矢印表示板６１〜６３と、上限表示板８と、標準水位表示板１０と、下限表示板１２と、は、これらを固定するねじ１４が螺合するナット１６が、固定溝２１内を自由に移動できるので、任意の位置に固定されることができる。従って、観測対象の液体の種類が変わった場合や、液体の温度が変わった場合や、上限・下限、標準水位等の基準が変更された場合など、表示する基準の液位（表示板を取り付ける位置）を変更する必要が生じた場合に、ねじ１４を緩めて変更後の位置に移動させ、再度ねじ１４を締めるだけで、基準の位置を簡単に移動させることができる。
【００３１】
また、各表示板や矢印表示板６は、非常にロータに近い表示窓のすぐ脇に固定されるため、ロータによって表示される液位と、矢印表示板等によって表示される基準液位との位置関係を確実に把握できるという効果も得られる。従って、たとえば液位が標準水位より高いか低いか、あるいは、上限液位や下限液位に対して高いか低いかなどを確実に視認することができる。
【００３２】
（第１の実施形態の変形例）
本実施形態は、第１の実施形態の液面計１の変形例である。第１の実施形態では、各表示板（８、１０、１２）は対応する矢印表示板６１〜６３と分離して、液面計１の表示窓の両側にそれぞれが固定されるが、本実施形態の液面計１は、液位の基準を示す各表示板が、それぞれに対応する矢印表示板６につなげて固定されている点が、第１の実施形態と異なる。以下、図面に基づき具体的に説明する。
【００３３】
図５は本実施形態の液面計１の外観を示す図である。図６は、図４の矢印Ａ位置での横断面図である。
【００３４】
本実施形態では、図５、６に示すように、上限表示板８と、標準水位表示板１０と、下限表示板１２と、が、第１の実施形態のように矢印表示板６に対向する位置ではなく、矢印表示板６につなげて固定されている。具体的には、ケース２の側面に面している各矢印表示板６の固定部に、各表示板の固定部が重ねられた状態でねじ１４を両方の固定部の穴にまとめて通し、ナット１６に螺合させて締め付けることで固定されている。
【００３５】
本実施形態のように矢印表示板６および各表示板をつなげて固定することで、各表示板が表示する液位等の文字が表示された矢印の形態で基準を示すことができる。
【００３６】
本実施形態の場合も、基準液位を変更する必要が生じた場合に、ねじを緩めて矢印表示板６と対応する表示板を移動させて再度ねじ１４を締めて固定するという簡単な操作で、それぞれの基準位置を変更することができる。
【００３７】
さらに、本実施形態の場合には、各表示板８、１０、１２の部分がケース２の前面から横に飛び出した形で示されるので、各表示板をより目立たせることができ、液位の確認をより確実にすることができる。なお、複数の表示板と矢印表示板６を有する場合に、全ての表示板が矢印表示板６につなげて固定されていなくてもよい。たとえば、より目立たせたい表示板（たとえば上限表示板８）のみを矢印表示板６につなげて固定し、それ以外の表示板は第１の実施形態で示した形態で固定されてもよい。
【００３８】
また、本変形例の場合において、全ての表示板と矢印表示板６をつなげて固定する場合に、片側の固定溝２１だけに固定されている必要は無く、いずれかを右側の固定溝２１に固定し、いずれかを左側の固定溝２１に固定してもよい。この場合には、文字が表示される表示板については文字が反転してしまうので、逆向きに文字が表示された表示板を用意しておく。また全ての表示板と矢印表示板６をつなげて固定する場合に、全ての表示板と矢印表示板６をケース２の片側にだけ固定する場合には、固定溝２１はケース２の片側（図５の場合であれば、液面計１に向かって右側）だけに形成されていてもよい。
【００３９】
なお、以上の第１の実施形態や変形例では、矢印表示板６や各表示板（８、１０、１２）を固定する固定溝２１がケース２の長手方向全域に形成されたものを示したが、これに限られない。たとえば、ケース２における表示板の固定位置を予め決めておき、その位置に固定溝２１を形成し、その溝にナット１６を配置しておいてもよい。この場合基準の位置を無段階には変更できないが、たとえば、基準の切り替える位置が予め決まっているような場合には、その位置に固定溝２１を形成しておけば、固定する溝を選ぶだけで簡単に基準の位置を変更できる。
【００４０】
また、以上の第１の実施形態や変形例では、３つの表示板と対応する矢印表示板を備えるとして説明したが、表示板の数と指示する内容は、表示したい基準に応じて適宜設定できる。たとえば、１つの表示板と矢印表示板で上限値のみ表示したり、４つ以上の基準を表示したりしてもよい。
【００４１】
また、以上の第１の実施形態や変形例では、矢印表示板６１〜６３は、矢印面が矢印の形状に形成されたものを示したが、矢印の形状に形成されている場合に限られず、矢印が矢印面に印字されていてもよい。
【００４２】
また、以上の第１の実施形態や変形例では、液面計としてマグネット式の液面計を示して説明したが、これに限られない。たとえば、タンク等に連通して接続されるゲージ内の液柱を前後のゲージガラスを透過して液中を確認する透過光式液面計や、気体部と液体部でゲージガラスから入射した光の反射の仕方の違いを利用して液位を示す反射式液面計や、その他の縦管内の液柱の上下動を利用して液位を示す液面計であればどのようなものでも適用できる。たとえば、ゲージガラスによって形成される表示窓から液柱を直接見る透過光式や反射式の液面計の場合には、ゲージの側面に上記実施形態で説明した固定溝を形成すれば、同様に矢印表示板６と各表示板を任意の位置に固定することができる。
【００４３】
本考案を特定の態様により詳細に説明したが、本考案の精神および範囲を逸脱しないかぎり、様々な変更および改質がなされ得ることは、当業者には自明であろう。
【符号の説明】
【００４４】
１      液面計
２      ケース
４      ロータ
６（６１、６２、６３）      矢印表示板
８      上限表示板
１０    標準水位表示板
１２    下限表示板
１４    ねじ
１６    ナット
３１、３２、３３、３４      固定バンド
５０    縦管
【図１】
0003187395.tif 000003
【図２】
0003187395.tif 000004
【図３】
0003187395.tif 000005
【図４】
0003187395.tif 000006
【図５】
0003187395.tif 000007
【図６】
0003187395.tif 000008